(57)【要約】【課題】光ディスクに記録されたタイトルに対して行われる編集処理の内容が光ディスクに書き込まれてしまった後に、編集前の状態に復元することができる光ディスク記録装置を提供する。【解決手段】光ディスクにタイトルを記録する記録部と、前記光ディスクに記録された前記タイトルに対して編集を行う際に前記記録部を制御する編集処理部（ステップＳ６０の処理を実行する手段）と、前記編集の実行処理において変更対象となるデータを前記編集の実行処理前に記録媒体にバックアップするバックアップ処理部（ステップＳ５０の処理を実行する手段）と、前記バックアップ処理部によってバックアップされたデータを前記光ディスクに記録することで前記編集の前の状態に復元する処理を実行する復元処理部（ステップＳ７０の処理を実行する手段）とを備える光ディスク記録装置。【選択図】図２
2012018710.tif 000002
【特許請求の範囲】
【請求項１】
光ディスクにタイトルを記録する記録部と、
前記光ディスクに記録された前記タイトルに対して編集を行う際に前記記録部を制御する編集処理部と、
前記編集の実行処理において変更対象となるデータを前記編集の実行処理前に記録媒体にバックアップするバックアップ処理部と、
前記バックアップ処理部によってバックアップされたデータを前記光ディスクに記録することで前記編集の前の状態に復元する処理を実行する復元処理部とを備えることを特徴とする光ディスク記録装置。
【請求項２】
前記バックアップ処理部によるバックアップが、前記編集の実行処理前に自動的に行われる請求項１に記載の光ディスク記録装置。
【請求項３】
前記編集処理部が、ＶＲモードでフォーマットされたＤＶＤに記録された前記タイトルに対して編集を行う場合、
前記バックアップ処理部が、ナビゲーション情報と、ファイルシステム情報に含まれるパーティション情報とをバックアップする請求項１または請求項２に記載の光ディスク記録装置。
【請求項４】
前記編集処理部が、ビデオモードでフォーマットされたＤＶＤに記録された前記タイトルに対して編集を行う場合、
前記バックアップ処理部が、ナビゲーション情報のみをバックアップする請求項１〜３のいずれか１項に記載の光ディスク記録装置。
【請求項５】
前記記録媒体が、前記光ディスク記録装置に搭載されているハードディスクである請求項１〜４のいずれか１項に記載の光ディスク記録装置。
【発明の詳細な説明】
【技術分野】
【０００１】
本発明は、光ディスクにタイトルを記録する光ディスク記録装置に関する。
【背景技術】
【０００２】
光ディスク記録装置は、光ディスクに記録されたタイトルに対して削除、部分削除、チャプター挿入、プレイリスト作成などの編集を行うことができるものが一般的である。なお、ここで、タイトルとは、一度に編集が行われるストリームを示す単位のことであり、例えば、１回の録画によって得られた番組データなどが該当する。
【先行技術文献】
【特許文献】
【０００３】
【特許文献１】特開２００７−２１４８０７号公報（段落００２０）
【特許文献２】特開２００８−１５２８９２号公報（請求項４）
【特許文献３】特開２００７−８９０２０号公報（請求項５）
【特許文献４】特開２００８−３１１７２３号公報（段落０００６）
【特許文献５】特開２００３−２２４８１１号公報（段落００４４乃至００４７）
【発明の概要】
【発明が解決しようとする課題】
【０００４】
従来の光ディスク記録装置では、光ディスクに記録されたタイトルに対して行われる編集処理の内容が光ディスクに書き込まれてしまった場合には、編集前の状態に復元することができないという問題があった。
【０００５】
なお、特許文献１には、編集経過を保持しておき、この編集経過のうちいずれかを変更したい場合には、その操作に戻ることができる録画番組編集システムが開示されているが、当該録画番組編集システムでは編集処理の内容が確定された後に編集前の状態に復元することはできない。したがって、特許文献１に開示されている録画番組編集システムは上記の問題を解決するものではない。
【０００６】
また、特許文献２には、複数のタイトルの一括削除を電源終了時に処理する記録再生装置が開示されているが、当該記録再生装置では一括削除後に一括削除前の状態に復元することはできない。したがって、特許文献２に開示されている記録再生装置は上記の問題を解決するものではない。
【０００７】
また、特許文献３には、タイトル消去の分類情報が付加されたタイトルの録画の再生終了により当該録画の消去可否の選択画面の表示出力を形成する記録再生装置が開示されているが、当該記録再生装置ではタイトル消去の選択が確定してタイトルが消去された後に消去前の状態に復元することはできない。したがって、特許文献３に開示されている記録再生装置は上記の問題を解決するものではない。
【０００８】
また、特許文献４には、ユーザが誤って編集を中断させた場合でも、操作手段の操作によりすぐに目的の映像データを探し出すことができ、すぐに編集を再開することができる映像編集装置が開示されているが、当該映像編集装置では編集処理の内容が確定された後に編集前の状態に復元することはできない。したがって、特許文献４に開示されている映像編集装置は上記の問題を解決するものではない。
【０００９】
また、特許文献５には、セグメントの指定を元に戻すことにより、編集を元に戻すことができるＰＶＲ録画装置が開示されているが、当該ＰＶＲ録画装置では編集処理の内容が確定された後（編集の完了操作後）に編集前の状態に復元することはできない。したがって、特許文献５に開示されているＰＶＲ録画装置は上記の問題を解決するものではない。
【００１０】
本発明は、上記の状況に鑑み、光ディスクに記録されたタイトルに対して行われる編集処理の内容が光ディスクに書き込まれてしまった後に、編集前の状態に復元することができる光ディスク記録装置を提供することを目的とする。
【課題を解決するための手段】
【００１１】
上記目的を達成するために本発明に係る光ディスク記録装置は、光ディスクにタイトルを記録する記録部と、前記光ディスクに記録された前記タイトルに対して編集を行う際に前記記録部を制御する編集処理部と、前記編集の実行処理において変更対象となるデータを前記編集の実行処理前に記録媒体にバックアップするバックアップ処理部と、前記バックアップ処理部によってバックアップされたデータを前記光ディスクに記録することで前記編集の前の状態に復元する処理を実行する復元処理部とを備える構成とする。
【００１２】
このような構成によると、光ディスクに記録されたタイトルに対して行われる編集処理の内容が光ディスクに書き込まれてしまった後に、編集前の状態に復元することができる。これにより、ユーザが誤った編集を実行してしまった場合でも編集のやり直しが可能になるため、利便性が向上する。また、バックアップ処理部がバックアップするデータのサイズは比較的小さいので、バックアップ処理部がバックアップするデータについての前記記録媒体の占有率はほとんど問題にならない。
【００１３】
前記バックアップ処理部によるバックアップが、前記編集の実行処理前に自動的に行われることが望ましい。
【００１４】
また、前記編集処理部が、ＶＲモードでフォーマットされたＤＶＤに記録された前記タイトルに対して編集を行う場合、前記バックアップ処理部が、ナビゲーション情報と、ファイルシステム情報に含まれるパーティション情報とをバックアップするようにする。
【００１５】
また、前記編集処理部が、ビデオモードでフォーマットされたＤＶＤに記録された前記タイトルに対して編集を行う場合、前記バックアップ処理部が、ナビゲーション情報のみをバックアップするようにする。
【００１６】
また、前記記録媒体としては、例えば、前記光ディスク記録装置に搭載されているハードディスクが挙げられる。
【発明の効果】
【００１７】
本発明によると、光ディスクに記録されたタイトルに対して行われる編集処理の内容が光ディスクに書き込まれてしまった後に、編集前の状態に復元することができる光ディスク記録装置を実現することができる。
【図面の簡単な説明】
【００１８】
【図１】は、本発明に係る光ディスク記録装置の一概略構成例を示す図である。
【図２】は、図１に示す光ディスク記録装置の編集に関連する動作を示すフローチャートである。
【図３】は、ＤＶＤがビデオモードである場合の編集メニューの表示例を示す図である。
【図４】は、ＤＶＤがＶＲモードである場合の編集メニューの表示例を示す図である。
【発明を実施するための形態】
【００１９】
本発明の実施形態について図面を参照して以下に説明する。本発明に係る光ディスク記録装置の一概略構成例を図１に示す。
【００２０】
図１に示す光ディスク記録装置は、ＨＤＤ（Hard Disk Drive）搭載ＤＶＤレコーダであって、チューナ１と、映像音声処理部２と、ＯＳＤ（On Screen Display）部３と、出力部４と、ＨＤＤ記録再生部５と、ＤＶＤ記録再生部６と、制御部７と、不揮発性メモリ８と、受光部９とを備えている。なお、制御部７が、請求項に記載の編集処理部、バックアップ処理部、及び復元処理部の主体となる。
【００２１】
チューナ１は、アンテナ１０から受け取ったテレビ放送信号の選局及び復調（例えばＯＦＤＭ（Orthogonal Frequency Division Multiplexing）復調）を行う。映像音声処理部２は、チューナ１から受け取った映像音声信号又はＨＤＤ記録再生部５若しくはＤＶＤ記録再生部６で再生された映像音声信号を出力部４に送ったり、チューナ１から受け取った映像音声信号をＨＤＤ記録再生部５又はＤＶＤ記録再生部６に送ったりする。ＯＳＤ部３は、制御部７からの指示に基づいて生成したＯＳＤ画像データを出力部４に送る。出力部４は、映像音声処理部２から受け取った映像信号とＯＳＤ部３から受け取ったＯＳＤ画像データとを合成した合成映像信号を外部に出力したり、上記合成処理を行わず映像音声処理部２から受け取った映像信号をそのまま外部に出力したり、上記合成処理を行わずＯＳＤ部３から受け取ったＯＳＤ画像データをそのまま外部に出力したり、映像音声処理部２から受け取った音声信号を外部に出力したりする。出力部４の出力信号は、図１に示す光ディスク記録装置に接続されるテレビ受像機（不図示）に送出される。図１に示す光ディスク記録装置に接続されるテレビ受像機は、出力部４の出力信号に基づく映像表示および音声出力を行う。
【００２２】
ＨＤＤ記録再生部５は、映像音声処理部２から受け取った映像音声信号をハードディスクに記録したり、ハードディスクに記録されている映像音声信号を再生したりする。また、ＤＶＤ記録再生部６は、映像音声処理部２から受け取った映像音声信号をＤＶＤに記録したり、ＤＶＤに記録されている映像音声信号を再生したりする。なお、ＤＶＤは、ＤＶＤ記録再生部６に対して着脱自在に装着される。
【００２３】
受光部９は、リモコン送信機（不図示）から送信されたリモコン赤外線信号を受光して電気信号に変換し、さらにその電気信号から操作コードを抽出して制御部７に出力する。制御部７は、不揮発性メモリ８に格納されている制御プログラム及び各種設定（例えば、各操作コードと各機能との対応関係を示すデータテーブル等）と、受光部９から受け取った操作コードと、図１に示す光ディスク記録装置の本体に設けられている操作キー群（不図示）から出力される信号によって定まる操作コードとに応じて、図１に示す光ディスク記録装置の各部を制御する。
【００２４】
以上のような構成である図１に示す光ディスク記録装置の編集に関連する動作について図２に示すフローチャートを参照して説明する。
【００２５】
ユーザが編集メニューの表示を指示する操作をリモコン送信機あるいは図１に示す光ディスク記録装置の本体に設けられている操作キー群に対して行うと、図２のフローチャート動作が開始する。
【００２６】
まずステップＳ１０において、編集メニューを表示するためのＯＳＤ画像データが出力部４から出力され、図１に示す光ディスク記録装置に接続されるテレビ受像機の表示画面に編集メニューが表示される。ビデオモードでフォーマットされているＤＶＤ−ＲまたはビデオモードでフォーマットされているＤＶＤ−ＲＷがＤＶＤ記録再生部６に装着されている場合の編集メニューの表示例を図３に示し、ＶＲモードでフォーマットされているＤＶＤ−Ｒ、ＶＲモードでフォーマットされているＤＶＤ−ＲＷ、またはＶＲモードでフォーマットされているＤＶＤ−ＲＡＭがＤＶＤ記録再生部６に装着されている場合の編集メニューの表示例を図４に示す。なお、ＤＶＤがＤＶＤ記録再生部６に装着されるときあるいは電源が投入されるときのローディングにより、制御部７は、ＤＶＤの種類やモードを予め判別している。
【００２７】
ステップＳ１０に続くステップＳ２０において、制御部７は、ユーザが編集メニューの項目を選択する操作をリモコン送信機あるいは図１に示す光ディスク記録装置の本体に設けられている操作キー群に対して行った否かを判定する。編集メニューの項目が選択された場合（ステップＳ２０のＹＥＳ）、ステップＳ３０に移行する。
【００２８】
ステップＳ３０において、制御部７は、選択された編集メニューの項目が“編集前に戻す”であるか否かを判定する。選択された編集メニューの項目が“編集前に戻す”でなければ（ステップＳ３０のＮＯ）、ステップＳ４０に移行する。一方、選択された編集メニューの項目が“編集前に戻す”であれば（ステップＳ３０のＹＥＳ）、ステップＳ７０に移行する。
【００２９】
ステップＳ４０において、制御部７は、ユーザが選択を確定する操作（例えば、決定キーの押圧）をリモコン送信機あるいは図１に示す光ディスク記録装置の本体に設けられている操作キー群に対して行った否かを判定する。選択が確定した場合（ステップＳ４０のＹＥＳ）、ステップＳ５０に移行する。
【００３０】
ステップＳ５０において、制御部７は、後述するステップＳ６０の処理において変更対象となるデータをＨＤＤ記録再生部５に記録させる。これにより、後述するステップＳ６０の処理において変更対象となるデータを、変更前にバックアップすることができる。
【００３１】
ステップＳ５０に続くステップＳ６０において、制御部７は、編集内容に応じた記録をＤＶＤ記録再生部６に命じて編集を実行し、その後フロー動作を終了する。
【００３２】
ＤＶＤにおいて、タイトルは、ナビゲーション情報と、ファイルシステム情報と、ストリーム情報とで管理、構成されている。ストリーム情報はディスクのフォーマットや追記録画が行われない限り変更されない。また、ビデオモードでフォーマットされているＤＶＤにおいては、ファイルシステム情報はファイナライズ時に作成される。したがって、ビデオモードでフォーマットされているＤＶＤがＤＶＤ記録再生部６に装着されている場合、ステップＳ６０の処理において変更対象となるデータはナビゲーション情報のみになる。これに対して、ＶＲモードでフォーマットされているＤＶＤがＤＶＤ記録再生部６に装着されている場合、ステップＳ６０の処理において変更対象となるデータはナビゲーション情報であるVR_MANGR.IFOファイルと、ファイルシステム情報に含まれているパーティション情報とになる。
【００３３】
上述した通り、選択された編集メニューの項目が“編集前に戻す”であれば（ステップＳ３０のＹＥＳ）、ステップ７０の処理が行われる。ステップＳ７０において、制御部７は、過去に実行したステップＳ５０の処理においてＨＤＤ記録再生部５にバックアップしているデータの記録をＤＶＤ記録再生部６に命じて、編集前の状態に復元する処理を実行し、その後フロー動作を終了する。
【００３４】
以上のような動作により、ＤＶＤに記録されたタイトルに対して行われる編集処理の内容がＤＶＤに書き込まれてしまった後に、編集前の状態に復元することができる。なお、誤った復元を防止する観点から、ステップＳ５０においてバックアップしているデータは、追記録画、ＤＶＤ記録再生部６からのディスク取り出し、電源オフなどがあった場合に、破棄されることが望ましい。ステップＳ５０においてバックアップしているデータを破棄した場合、例えば、図３や図４に示す編集メニューの表示において“編集前に戻す”の項目をグレーアウト表示にするとよい。
【００３５】
以上、本発明に係る実施形態について説明したが、本発明の範囲はこれに限定されるものではなく、発明の主旨を逸脱しない範囲で種々の変更を加えて実行することができる。
【００３６】
例えば、上述した実施形態では、光ディスクがＤＶＤであったが、ＤＶＤ以外の光ディスクにタイトルを記録する光ディスク記録装置に本発明を適用してもよい。
【００３７】
また、例えば、上述した実施形態では、編集の実行処理において変更対象となるデータをＨＤＤ記録再生部５のハードディスクにバックアップしたが、ハードディスク以外の記録媒体に記録するようにしてもよい。例えば、光ディスク記録装置に内蔵されているフラッシュメモリ等の不揮発性メモリやＲＡＭ（Random Access Memory）等の一時記憶メモリにバックアップしてもよく、また、光ディスク記録装置にＵＳＢ（Universal Serial Bus）コネクタやＳＤカードスロット等の外部メモリ用インターフェースを備えている場合は外部メモリ用インターフェースに接続される外部メモリにバックアップしてもよい。
【００３８】
また、例えば、上述した実施形態では、テレビ放送番組を光ディスクに録画しているが、テレビ放送番組以外のデータの記録であるタイトルを編集の対象としても本発明を適用することができる。例えば、光ディスク記録装置に外部入力端子が設けられている場合、外部入力されたデータの記録であるタイトルを編集の対象にすることができる。
【００３９】
また、例えば、上述した実施形態では、図２に示すように、選択された編集メニューの項目が“編集前に戻す”であれば（ステップＳ３０のＹＥＳ）、ステップ７０の処理が行われる形態であったが、ステップＳ３０とステップＳ７０との間にステップＳ４０と同一のステップを設ける形態に変形してもよい。
【符号の説明】
【００４０】
１  チューナ
２  映像音声処理部
３  ＯＳＤ部
４  出力部
５  ＨＤＤ記録再生部
６  ＤＶＤ記録再生部
７  制御部
８  不揮発性メモリ
９  受光部
１０  アンテナ
【図１】
2012018710.tif 000003
【図２】
2012018710.tif 000004
【図３】
2012018710.tif 000005
【図４】
2012018710.tif 000006